(57)【要約】【課題】住戸人がインターホン親機からの呼出通知により気づきやすくなるインターホンシステムを提供することにある。【解決手段】インターホンシステムは、住戸外に設置されるカメラ付ドアホン子機（ドアホン子機）２と、住戸内に設置されカメラ付ドアホン子機２との間で通話可能なインターホン親機１とを備える。そして、インターホン親機１は、カメラ付ドアホン子機２からの呼出信号を受信したときに呼出音を鳴動する第１のスピーカ１ｂ（報知部）と、前記呼出信号を受信したときに、インターホン親機１が設置される壁面とは交差する天井面を照明する呼出照明部１ｈを備える。【選択図】図１
2009194861.tif 000002
【特許請求の範囲】
【請求項１】
住戸外に設置されるドアホン子機と、住戸内に設置されドアホン子機との間で通話可能なインターホン親機とを備え、インターホン親機には、インターホン親機がドアホン子機からの呼出信号を受信したときに呼出音を鳴動する報知部と、前記呼出信号を受信したときにインターホン親機が設置される壁面、当該壁面とは交差する天井面および床面のうち少なくとも１箇所を照明する呼出照明部とが設けられてなることを特徴とするインターホンシステム。 
【発明の詳細な説明】
【技術分野】
【０００１】
本発明は、インターホンシステムに関するものである。
【背景技術】
【０００２】
従来から、インターホン親機がテレビやラジオ等からの騒音のある環境に設置され呼出音が聞き取りにくい場合、住戸人が耳の不自由な人であって呼出音を聞き取り難い場合であっても、来訪者から住戸人に呼出通知がなされていることを視覚的に認識させることのできる表示機能を有するインターホン親機を備えたインターホンシステムが提供されている（特許文献１参照）。
【０００３】
上述のインターホンシステムでは、図５に示すように、住戸外に設置されるドアホン子機２’と、ドアホン子機２’とは回線３’によって接続され住戸内に設置されるインターホン親機１’とを備えている。ここで、ドアホン子機２’は来訪者が操作することで訪問を知らせるための呼出釦１７’を備え、インターホン親機１’には、来訪者との通話を行うためのハンドセット４’が設けられている。なお、ハンドセット４’は、スピーカ４１’と、マイクロホン４２’と、後述の駆動回路１１’によって駆動されて発光する光源を具備するハンドセット表示部４３’とを備えている。
【０００４】
ここにおいて、インターホン親機１’は、ドアホン子機２’との間で音声信号を送受信し、ドアホン子機２’から送信された映像信号の受信を行う機能を備えたインターフェース（Ｉ／Ｆ）５’と、ハンドセット４’を取り上げたときに動作しドアホン子機２’とハンドセット４’との間で送受信される音声信号を音声に変換し且つドアホン子機２’およびハンドセット４’から入力される音声を音声信号に変換する送受話回路６’と、テンキー部（図示せず）から入力された数値信号を後述のＣＰＵ８’に送信する数値信号送信部７’と、入力される映像信号に基づいて映像を表示するモニタ部１０’と、ドアホン子機２’からの映像信号をモニタ部１０’に送信する映像回路９’と、留守中の来訪者の情報等を記憶しておくためのメモリ１３’と、インターホンシステム全体を制御するＣＰＵ８’とを備える。
【０００５】
更に、インターホン親機１’は、ドアホン子機２’からの呼出があったときに発光する光源（例えば、ＬＥＤ、蛍光灯等）を備えた親機表示部１２’と、親機表示部１２’を駆動させる駆動回路１１’とを備え、ドアホン子機２’からの呼出信号に基づいて親機表示部１２’を点滅発光させることにより、住戸人に呼出通知がなされていることを視覚的に通知することができる。
【特許文献１】特開２００１−１７７６５６号公報
【発明の開示】
【発明が解決しようとする課題】
【０００６】
しかしながら、図５に示す構成のインターホンシステムでは、住戸人が親機表示部１２’の点滅発光に気づかず、呼出通知に気づかないことがあった。また、親機表示部１２’として、ＬＥＤや蛍光灯よりも強い光を発光するフラッシュランプ（図示せず）をインターホン親機１’に外設する方法も考えられる。ところが、この方法では、インターホンシステムの設置後においてフラッシュランプを増設するためにインターホンシステムの配線を改めて行う必要があり施工性が良くなかった。
【０００７】
本願発明は上記に鑑みてなされたものであり、その目的は、住戸人がインターホン親機からの呼出通知により気づきやすくなるインターホンシステムを提供することにある。
【課題を解決するための手段】
【０００８】
請求項１の発明は、住戸外に設置されるドアホン子機と、住戸内に設置されドアホン子機との間で通話可能なインターホン親機とを備え、インターホン親機には、インターホン親機がドアホン子機からの呼出信号を受信したときに呼出音を鳴動する報知部と、前記呼出信号を受信したときにインターホン親機が設置される壁面、当該壁面とは交差する天井面および床面のうち少なくとも１箇所を照明する呼出照明部とが設けられてなることを特徴とする。
【０００９】
この発明によれば、インターホン親機においてドアホン子機からの呼出信号を受信したときにインターホン親機の報知部が呼出音を鳴動するとともに、呼出照明部によりインターホン親機の設置される壁面、当該壁面とは交差する天井面および床面のうち少なくとも１箇所を照明することにより住戸人が光を視認できる部位を大きくして呼出通知が行われるので、住戸人がインターホン親機からの呼出通知に気づきやすくなる。
【発明の効果】
【００１０】
請求項１の発明によれば、インターホン親機においてドアホン子機からの呼出信号を受信したときにインターホン親機の報知部が呼出音を鳴動するとともに、呼出照明部によりインターホン親機が設置される壁面、当該壁面とは交差する天井面および床面のうち少なくとも１箇所を照明することにより住戸人が光を視認できる部位を大きくして呼出通知が行われるので、住戸人がインターホン親機からの呼出通知に気づきやすくなる。
【発明を実施するための最良の形態】
【００１１】
以下、本実施形態のインターホンシステムについて図１〜図３に基づいて説明する。
【００１２】
本実施形態のインターホンシステムは、図１（ａ）に示すように、住戸外に設置されるドアホン子機であるカメラ付ドアホン子機２と、住戸内に設置されカメラ付ドアホン子機２と回線Ｌを介して接続されカメラ付ドアホン子機２との間で音声信号を送受信し且つドアホン子機２から送信された映像信号を受信するインターホン親機１とを備えている。なお、インターホン親機１の駆動電力は、商用電源ＡＣ（電圧１００Ｖ）からの電力供給を受ける後述の電源回路部１ｍで生成されており、カメラ付ドアホン子機２の駆動電力は、インターホン親機１が備える後述のドアホン給電回路部１ｎから回線Ｌを介して供給される。
【００１３】
インターホン親機１は、図１（ｂ）に示すように、呼出音を鳴動する報知部であり且つカメラ付ドアホン子機２からの音声信号を音声として住戸人に伝えるための第１のスピーカ１ｂと、住戸人が音声をインターホン親機１に入力するための第１のマイクロホン１ｆと、第１のスピーカ１ｂおよびマイクロホン１ｆを利用して住戸人と来訪者との通話を可能とするための第１の通話回路部１ｃと、来訪者からの呼出通知がなされたときに住戸人が操作することで来訪者との間で通話可能な状態にインターホン親機１を設定するための第１の操作部１ｇと、商用電源ＡＣからの電力供給を受けインターホン親機１の駆動電力を生成する電源回路部１ｍと、電源回路部１ｍで生成した駆動電力をカメラ付ドアホン子機２に回線Ｌを介して供給するドアホン給電回路部１ｎと、カメラ付ドアホン子機２における後述の映像伝送部２ｈから回線Ｌを介して送信されてきた映像信号を受信する映像受信部１ｄと、後述の第１の制御部１ａによって制御され映像受信部１ｄからの映像信号に基づいて映像を表示する映像表示部１ｅと、第１の操作部１ｇによって操作が可能であり第１の通話回路部１ｃ、映像受信部１ｄ、映像表示部１ｅおよび後述の呼出照明部１ｈを制御するＣＰＵ等からなる第１の制御部１ａとを備える。ここで、第１の制御部１ａは、映像受信部１ｄで受信された映像信号を映像表示部１ｅへ送信する。また、インターホン親機１は、図３（ａ）に示すように、壁面Ｃ３に取り付けて使用される場合に壁面Ｃ３とは交差する天井面Ｃ１を照明する呼出照明部１ｈを備え、カメラ付ドアホン子機２からの呼出信号を受信したときに第１のスピーカ１ｂが呼出音を鳴動するとともに、呼出照明部１ｈが天井面Ｃ１を照明する。
【００１４】
カメラ付ドアホン子機２は、図２に示すように、来訪者を撮像するカメラ部２ｂと、インターホン親機１からの音声信号を音声として住戸人に伝えるための第２のスピーカ２ｄと、音声をカメラ付ドアホン子機２に入力するための第２のマイクロホン２ｆと、住戸人と来訪者とが第２のスピーカ２ｄおよび第２のマイクロホン２ｆを使用して通話可能とするための第２の通話回路部２ｃと、インターホン親機１から回線Ｌを介して供給される電力を受電する電源受電部２ｅと、来訪者が操作することで住戸人と通話ができる状態にカメラ付ドアホン子機２を設定する第２の操作部２ｇと、後述の第２の制御部２ａによって制御されカメラ部２ｂで撮像された画像を映像信号としてインターホン親機１へ送信する映像伝送部２ｈと、第２の操作部２ｇによって操作が可能であり第２の通話回路部２ｃと映像伝送部２ｈとを制御するＣＰＵ等からなる第２の制御部２ａとを備える。
【００１５】
ところで、上述の呼出照明部１ｈは、図３（ａ）に示すように、インターホン親機１が壁面Ｃ３に取り付けられた状態において、インターホン親機１の上部に設けられている。
【００１６】
また、呼出照明部１ｈは、図３（ｂ）に示すように、ＬＥＤからなる光源１１ｈと、光源１１ｈからの光を天井面Ｃ１に配光するためのプリズム１２ｈとを備えており、光源１１ｈから放射され、プリズム１２ｈの入射面１２１ｈに入射した光（図３（ｂ）の矢印Ａ１）は、入射面１２１ｈで屈折してプリズム１２ｈ内を透過し、入射面１２１ｈに対向し且つ当該入射面１２１ｈとは平行しない出射面１２２ｈで屈折して出射面１２２ｈから天井面Ｃ１方向へ出射される（図３（ｂ）の矢印Ａ２）。従って、インターホン親機１がカメラ付ドアホン子機２から呼出信号を受信したときには、光源１１ｈが発光し、光源１１ｈからの光はプリズム１２ｈによって天井面Ｃ１に配光される（図３（ａ）の矢印）。なお、光源１１ｈとしては、ＬＥＤに限らず、例えば、白色以外の光を発する蛍光灯でもよい。また、本実施形態の呼出照明部１ｈは、プリズム１２ｈを備えているが、これに限定されるものではなく、例えば、反射鏡やレンズを備えることによって、光源１１ｈからの光を天井面Ｃ１に配光するものとしてもよい。
【００１７】
しかして、本実施形態のインターホンシステムでは、インターホン親機１がカメラ付ドアホン子機２からの呼出信号を受信したときに、第１のスピーカ１ｂが呼出音を鳴動するとともに、呼出照明部１ｈが天井面Ｃ１を照明することにより住戸人が光を視認できる部位を大きくして呼出通知が行われるので、住戸人がインターホン親機１からの呼出通知に気づきやすくなる。なお、本実施形態のインターホン親機１は、上述のように、天井面Ｃ１を照明するものに限定されるものではなく、例えば、呼出照明部１ｈをインターホン親機１の下部に設けて床面Ｃ２を照明するものであってもよく、或いは呼出照明部１ｈをインターホン親機１の上部と下部の両方に設けて天井面Ｃ１および床面Ｃ２を照明する構成としてもよい。また、図４に示すように、インターホン親機１の４箇所に４つの呼出照明部１ｈを配設し、当該４つの呼出照明部１ｈから４方向に出射される光（図４の矢印）が壁面Ｃ３を照明する構成としてもよい。更に、図４に示す構成のインターホン親機１の上部または下部に呼出照明部１ｈを設けて、壁面Ｃ３と天井面Ｃ１または床面Ｃ２とを照明する構成とするか、或いは図４に示す構成のインターホン親機１の上部および下部の両方に呼出照明部１ｈを設けて、壁面Ｃ３、天井面Ｃ１および床面Ｃ２を照明する構成としてもよい。
【００１８】
また、本実施形態のインターホン親機１では、呼出照明部１ｈとして、インターホン親機１に外設されたＬＥＤや蛍光ランプよりも強い光を発するフラッシュランプ（図示せず）を使用する必要がないので、インターホンシステムの設置後であってもインターホンシステムの配線を改めて行う必要がなく、施工性が悪くなるのを防ぐことができる。
【図面の簡単な説明】
【００１９】
【図１】実施形態を示し、（ａ）はインターホンシステムの構成図、（ｂ）は、インターホン親機を示すブロック図である。
【図２】同上のカメラ付ドアホン子機を示すブロック図である。
【図３】同上を示し、（ａ）は動作説明図、（ｂ）は要部の動作説明図である。
【図４】同上の動作説明図である。
【図５】従来例のインターホンシステムを示すブロック図である。
【符号の説明】
【００２０】
１    インターホン親機
２    カメラ付ドアホン子機（ドアホン子機）
１ａ  第１の制御部
１ｂ  第１のスピーカ（報知部）
１ｃ  第１の通話回路部
１ｄ  映像受信部
１ｅ  映像表示部
１ｇ  第１の操作部
１ｈ  呼出照明部
２ａ  第２の制御部
２ｃ  第２の通話回路部
２ｄ  第２のスピーカ
２ｈ  映像伝送部
Ｌ    回線
Ｃ１  天井面
Ｃ２  床面
Ｃ３  壁面 
【図１】
2009194861.tif 000003
【図２】
2009194861.tif 000004
【図３】
2009194861.tif 000005
【図４】
2009194861.tif 000006
【図５】
2009194861.tif 000007